(57)【要約】【課題】軽量且つ高感度な筒状リールシートとリールシート本体並びに釣竿を提供する。【解決手段】リールシート本体７は、固定フード部１２を有する第一筒部２１と、雄ネジ部１３を有する第二筒部２２と、第一筒部２１と第二筒部２２を反リール装着側において連結するブリッジ部２３とを備え、リールシート本体７には、リール装着側から反リール装着側に向けて凹んだ凹部１５が竿挿通孔１０を反リール装着側に越えて深く形成されていて、該凹部１５により竿挿通孔１０は分断されて第一筒部２１と第二筒部２２にそれぞれ形成されていると共にブリッジ部２３の内面２３ｂは竿挿通孔１０よりも径方向外側に位置し、ブリッジ部２３は、その軸線方向の中途部を軸線方向と直交する方向に切断した横断面視において、外面２３ａと内面２３ｂが共に径方向外側に湾曲した外側凸の横断面形状を有している。【選択図】図９
2020103324.tif 000002
【特許請求の範囲】
【請求項１】
竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体を備えた筒状リールシートであって、
リールシート本体は、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
ブリッジ部は、その軸線方向の中途部を軸線方向と直交する方向に切断した横断面視において、外面と内面が共に径方向外側に湾曲した外側凸の横断面形状を有していることを特徴とする筒状リールシート。
【請求項２】
ブリッジ部の第一筒部側の端部における両側縁部は、反リール装着側の半周分を越えてリール装着側に延びていると共に、第一筒部における竿挿通孔の凹部側の開口部から径方向外側に離間している請求項１記載の筒状リールシート。
【請求項３】
ブリッジ部の第一筒部側の端部における両側縁部は、固定フード部の開口縁部の左右両端部と連続している請求項２記載の筒状リールシート。
【請求項４】
竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体であって、
軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、
リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、
ブリッジ部は、その軸線方向の中途部を軸線方向と直交する方向に切断した横断面視において、外面と内面が共に径方向外側に湾曲した外側凸の横断面形状を有していることを特徴とする筒状リールシートのリールシート本体。
【請求項５】
請求項１乃至３の何れかに記載の筒状リールシートを備えた釣竿。
【請求項６】
ブリッジ部が竿本体から離間していて、第一筒部と第二筒部との間において竿本体が全周に亘って露出している請求項５記載の釣竿。
【発明の詳細な説明】
【技術分野】
【０００１】
本発明は、釣竿にリールを固定するための筒状リールシートと、その筒状リールシートの構成部品であるリールシート本体と、筒状リールシートを備えた釣竿に関する。
【背景技術】
【０００２】
釣竿にスピニングリール等のリールを固定するためのリールシートとしては、筒状に形成されて竿本体に外装固定されるタイプのものがあり、パイプシートとも称されている。釣りを行う際には、リールシートにリール脚を固定して釣竿にリールを装着し、釣竿のリールシートを把持することになる。その際の握り心地を改善するために本出願人も下記特許文献１のようにリールシート本体（シートベース）の形状を工夫したリールシートを提案している。このリールシートでは、リールシート本体の左右両側面にそれぞれ凹部を形成するようにして握りやすいようにしている。また、左右両側面の凹部を深く形成することによって両凹部同士が連通する態様についても提案している（同文献１の図５及び図６）。
【０００３】
しかしながら、同文献１の図６のように、リールシート本体の軸線方向の中間部の横断面視における肉厚は厚い。しかも、その肉厚は竿先側と竿尻側に向けて急激に厚くなっていく。そのためリールシートの軽量化には限界がある。また、リールシート本体の軸線方向の中間部の肉厚が厚いために、振動の伝達特性の更なる改善が求められる。
【先行技術文献】
【特許文献】
【０００４】
【特許文献１】実開平６−１５４６６号公報
【発明の概要】
【発明が解決しようとする課題】
【０００５】
そこで本発明は、軽量且つ高感度な筒状リールシートとリールシート本体並びに釣竿を提供することを課題としている。
【課題を解決するための手段】
【０００６】
本発明は上記課題を解決すべくなされたものであって、本発明に係る筒状リールシートは、竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体を備えた筒状リールシートであって、リールシート本体は、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、リールシート本体には、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、ブリッジ部は、その軸線方向の中途部を軸線方向と直交する方向に切断した横断面視において、外面と内面が共に径方向外側に湾曲した外側凸の横断面形状を有していることを特徴とする。尚、反リール装着側とはリール装着側に対して周方向に１８０度反対の方向である。また、左右両側とは、リール装着側と反リール装着側とを結ぶ方向とは直交する方向であって、リール装着側や反リール装着側に対して周方向に９０度回転した方向である。また、竿先側を前側と、竿元側を後側と、筒状リールシートや竿本体の中心軸方向（軸線方向）を前後方向と称することがある。
【０００７】
該構成の筒状リールシートにあっては、リールシート本体にリール装着側から反リール装着側に向けて凹んだ凹部が形成されており、その凹部は竿挿通孔を反リール装着側に越える程度に深く形成されている。従って、リールシート本体の竿挿通孔は凹部によって前後に分断されることになる。また、ブリッジ部の内面は竿挿通孔に対して径方向外側に位置することになる。即ち、竿本体に装着した状態において、竿本体からブリッジ部の内面が離間した状態となる。そして、ブリッジ部が外側凸の横断面形状を有していて外面及び内面の何れもが外側に湾曲した形状となっており、ブリッジ部が薄肉となっている。このようにブリッジ部が竿挿通孔に対して径方向外側に位置すると共に薄肉となっていても、外側凸の横断面形状となっているため、十分な強度を確保することができる。そして、薄肉となったブリッジ部から手に振動が伝わると共に、第一筒部と第二筒部との間において露出している竿本体にも直接指で触れることができるため、竿本体からも振動が手に高感度に伝達されることになる。
【０００８】
特に、ブリッジ部の第一筒部側の端部における両側縁部は、反リール装着側の半周分を越えてリール装着側に延びていると共に、第一筒部における竿挿通孔の凹部側の開口部から径方向外側に離間していることが好ましい。該構成では、ブリッジ部の第一筒部側の端部における両側縁部は、反リール装着側の半周分を越えてリール装着側に延びているので、ブリッジ部と第一筒部との境界部分における強度が十分に確保される。そして、ブリッジ部の第一筒部側の端部における両側縁部が第一筒部における竿挿通孔の凹部側の開口部から径方向外側に離間しているので、第一筒部側の端部においてもブリッジ部は薄肉を維持し、より一層の軽量化が可能である。このように強度と薄肉化を両立させることができる。
【０００９】
また、ブリッジ部の第一筒部側の端部における両側縁部は、固定フード部の開口縁部の左右両端部と連続していることが好ましく、この連続性によって、特に強度が求められる固定フード部の開口縁部においても強度を容易に確保できる。
【００１０】
また、本発明に係る筒状リールシートのリールシート本体は、竿本体が挿通する竿挿通孔が形成され、軸線方向の一端部側にはリール脚の一方の脚先部を固定するための固定フード部が形成され、軸線方向の他端部側の外周面には雄ネジ部が形成された、一部材からなるリールシート本体であって、軸線方向の一端部側に位置し、固定フード部を有する第一筒部と、軸線方向の他端部側に位置し、雄ネジ部を有する第二筒部と、第一筒部と第二筒部を反リール装着側において連結するブリッジ部とを備え、リール装着側から反リール装着側に向けて凹んだ凹部が竿挿通孔を反リール装着側に越えて深く形成されていて、該凹部により竿挿通孔は分断されて第一筒部と第二筒部にそれぞれ形成されていると共にブリッジ部の内面は竿挿通孔よりも径方向外側に位置し、ブリッジ部は、その軸線方向の中途部を軸線方向と直交する方向に切断した横断面視において、外面と内面が共に径方向外側に湾曲した外側凸の横断面形状を有していることを特徴とする。
【００１１】
また、本発明に係る釣竿は上述のような筒状リールシートを備えたものである。
【００１２】
特に、ブリッジ部が竿本体から離間していて、第一筒部と第二筒部との間において竿本体が全周に亘って露出していることが好ましい。
【発明の効果】
【００１３】
以上のように、リールシート本体のブリッジ部の横断面形状が外側凸の薄肉湾曲形状となっているので、強度を確保しつつ軽量化でき、また、その薄肉形状によって振動の減衰を抑制して手に高感度に振動を伝達できる。
【図面の簡単な説明】
【００１４】
【図１】本発明の一実施形態における筒状リールシートを示す正面図。
【図２】同筒状リールシートの平面図。
【図３】同筒状リールシートが装着された釣竿の要部を示す正面図。
【図４】同釣竿の要部を示す底面図。
【図５】図４のＢ−Ｂ断面図。
【図６】図３のＡ−Ａ端面図。
【図７】同筒状リールシートのリールシート本体を示す正面図。
【図８】同リールシート本体の底面図。
【図９】図８のＣ−Ｃ断面図。
【図１０】同釣竿の使用状態を示す要部正面図。
【図１１】同釣竿の使用状態を示す要部平面図。
【図１２】同釣竿の使用状態を示す要部正面図であって、手首を曲げて釣竿を上方に振り上げた状態を示す。
【図１３】同筒状リールシートが図３とは前後反対向きに装着された釣竿の要部を示す正面図。
【発明を実施するための形態】
【００１５】
以下、本発明の一実施形態に係る筒状リールシートとそれを備えた釣竿について図１乃至図１３を参酌しつつ説明する。本実施形態における筒状リールシート１は、釣竿にスピニングリールを固定するためのものである。該筒状リールシート１は、いわゆるパイプシートと称される全体として筒状のものであって釣竿の竿本体２（ブランク）に外装されて所定位置に移動不能に固定される。即ち、竿本体２が筒状リールシート１を挿通しており、竿本体２の外周面の所定位置に接着等により固定される。
【００１６】
尚、筒状リールシート１においてスピニングリールが装着される側をリール装着側とし、リール装着側とは径方向反対側（１８０度反対側）を反リール装着側とする。通常の使用状態においてスピニングリールは下側を向く。そのため、図１等では、使用状態に即して、リール脚３の裏面を支持するためのリール脚支持面１１が下側を向くように図示している。また、竿先側を前側と、竿尻側を後側とし、反リール装着側から見たとき、竿本体２の軸線方向（中心軸の方向）と直交する方向を左右方向とする。
【００１７】
リール脚３は、図示しないリール本体から一本脚状に延びる脚主部４と、該脚主部４の先端部である足首部４ａから前後両側に延びる取付脚部５とを備えて、全体としてＴ字状に形成されている。従って、リール脚３は、前後一対の脚先部５ａ，５ｂを有している。
【００１８】
筒状リールシート１は、図１及び図２に示しているように、竿本体２に移動不能に外装され、リール脚３の一方の脚先部５ａを固定するための固定フード部１２が形成された筒状のリールシート本体７と、該リールシート本体７に外装され、リール脚３の他方の脚先部５ｂを固定するための筒状の可動フード８と、該可動フード８を軸線方向に移動させると共に所望の位置に固定するための固定ナット９とを備えている。筒状リールシート１の外周面は、図１に示すような正面視において、反リール装着側に山型に膨出した形状となっており、反リール装着側の外周面の膨出形状のピーク部Ｐ（頂上部）は、リール脚３の足首部４ａの中心線４ｂよりも若干固定ナット９側に位置している。反リール装着側の外周面は、ピーク部Ｐから固定ナット９側即ち軸線方向の他端部側に向けてなだらかにリール装着側に下降していき、リールシート本体７から可動フード８へと連続して下降していく。反リール装着側の外周面は、ピーク部Ｐから軸線方向の他端部側に向けても徐々にリール装着側に下降していく形状となっている。
【００１９】
また、筒状リールシート１の外周面は、図２に示すような反リール装着側から見た平面視において、軸線方向の他端部側から一端部側に向けて、可動フード８においては徐々に幅広となり、リールシート本体７においては一旦徐々に幅狭となった後、逆に固定フード部１２に向けて徐々に幅広となり、固定フード部１２からリールシート本体７の軸線方向の一端部７ａまで徐々に幅狭となっている。
【００２０】
リールシート本体７は、一部材から構成される。リールシート本体７の材質は、合成樹脂や金属等であってよいが、特には硬質の合成樹脂から射出成形により形成された樹脂成形品であることが好ましい。その合成樹脂は種々のものであってよいが、繊維強化樹脂が好ましく、特に、長さが１ｍｍ以下の短繊維を強化繊維とした繊維強化樹脂が好ましい。また、その繊維としてはカーボン繊維が好ましい。
【００２１】
図７〜図９にリールシート本体７を単体の状態で示している。リールシート本体７には竿本体２が挿通する竿挿通孔１０が形成され、リール装着側にはリール脚３の裏面を支持するためのリール脚支持面１１が形成され、軸線方向の一端部７ａ側にはリール脚３の一方の脚先部５ａを固定するための固定フード部１２が形成され、軸線方向の他端部７ｂ側の外周面には雄ネジ部１３が形成されている。リール脚３の裏面とは、リール脚３の取付脚部５の裏面である。固定フード部１２はリール装着側に形成されていて、軸線方向の他端部７ｂ側に開口する開口部を有している。該固定フード部１２にリール脚３の一方の脚先部５ａが挿入される。リールシート本体７の雄ネジ部１３に固定ナット９が螺着され、該固定ナット９の軸線方向の一端部側に可動フード８が位置する。リールシート本体７には、雄ネジ部１３を部分的に切り欠くようにして軸線方向に直線状に延びるガイド溝１４が形成されている。該ガイド溝１４の数や配置は任意であるが、例えば、左右両側部に互いに対称関係で配置される。可動フード８は、リールシート本体７のガイド溝１４に案内されながら軸線方向にスライド移動する。
【００２２】
図７のようにリールシート本体７の正面視において、反リール装着側の外周面は中央部において径方向外側（反リール装着側）に向けて山型に膨出した形状となっており、反リール装着側の外周面はピーク部Ｐから軸線方向の一端部７ａまで徐々にリール装着側に下降していく。また、図８のようにリール装着側から見た底面視において、リールシート本体７は、中央部において幅狭に括れた形状となっていて、最も括れた括れ部Ｑは反リール装着側の外周面のピーク部Ｐよりも後側に位置している。その括れ部Ｑから固定フード部１２の開口部まで徐々に幅広となり、その後、固定フード部１２から軸線方向の一端部７ａまで徐々に幅狭となっている。このようにリールシート本体７は、固定フード部１２から軸線方向の一端部７ａに向けて徐々に縮径した先細り形状となっている。
【００２３】
リールシート本体７のリール装着側には反リール装着側に向けて凹んだ凹部１５が形成されている。該凹部１５は、リール装着側に開口すると共に、左右両側面（両サイド）にも開口しており、従って、凹部１５はリール装着側、反リール装着側及び左右両側面の四方のうち三方に開口した形状となっている。凹部１５は竿挿通孔１０を反リール装着側に越えて深く形成されている。凹部１５を左右両側方から見たときの側方開口形状は、前後両側から中央部に向けて徐々に深くなる逆三角形状となっており、この逆三角形状である側方開口形状における谷底部Ｒは、竿挿通孔１０よりも反リール装着側に位置している。また、逆三角形状である側方開口形状における谷底部Ｒは、反リール装着側の外周面のピーク部Ｐよりも軸線方向の他端部７ｂ側に位置している。そして、凹部１５の側方開口形状は、固定フード部１２の開口縁部と連続している。また、凹部１５は、軸線方向と直交する方向に切断した横断面視においては、図６のように左右方向の中央部が最も深くなっている。
【００２４】
このようにリールシート本体７のリール装着側に凹部１５が形成されることにより、リールシート本体７は、軸線方向の一端部７ａ側に位置する第一筒部２１と、軸線方向の他端部７ｂ側に位置する第二筒部２２と、第一筒部２１と第二筒部２２とを反リール装着側において軸線方向に連結するブリッジ部２３とから構成される。また、リールシート本体７のリール装着側に凹部１５が形成されることによって、竿挿通孔１０は前後に分断された状態にある。従って、第一筒部２１と第二筒部２２にそれぞれ竿挿通孔１０が分かれて形成されているが、それらの竿挿通孔１０は互いに同軸上にある。
【００２５】
第一筒部２１の竿挿通孔１０は、凹部１５とは反対側の端部を除いて径一定であって、凹部１５とは反対側の端部は段差部を介して一段大径とされている。第一筒部２１の竿挿通孔１０の凹部１５側の開口縁部は、全周に亘って軸線方向に対して直交する平面となっている。第一筒部２１の竿挿通孔１０の凹部１５とは反対側の開口縁部は、軸線方向に対して直交せずに傾斜しており、反リール装着側からリール装着側に向けて軸線方向に延びる傾斜面となっている。即ち、リールシート本体７の第一筒部２１側の端面である軸線方向の一端面は、軸線方向に対して傾斜した傾斜面となっている。第二筒部２２の竿挿通孔１０は全長に亘って径一定である。第二筒部２２の竿挿通孔１０の凹部１５側の開口縁部は全周に亘って軸線方向に対して直交する平面となっており、また、第二筒部２２の竿挿通孔１０の凹部１５とは反対側の開口縁部も全周に亘って軸線方向に対して直交する平面となっている。即ち、リールシート本体７の第二筒部２２側の端面である軸線方向の他端面は、軸線方向に対して直交した平面となっている。
【００２６】
また、リール脚支持面１１も凹部１５によって前後に分断された状態にあり、従って、第一筒部２１と第二筒部２２にそれぞれ分かれてリール脚支持面１１が形成されているが、互いの高さは同一とされている。このように第一筒部２１には竿挿通孔１０と固定フード部１２が形成され、第二筒部２２には竿挿通孔１０と雄ネジ部１３が形成されている。
【００２７】
ブリッジ部２３は、図９に示すように、軸線方向に沿って切断した縦断面視において、径方向外側、即ち、反リール装着側に向けて湾曲した湾曲形状となっている。縦断面視において、ブリッジ部２３の外面２３ａは外側凸の湾曲形状となっており、ブリッジ部２３の内面２３ｂも外面２３ａの形状に対応して外側凸の湾曲形状となっている。ブリッジの内面２３ｂは軸線方向の全長に亘って竿挿通孔１０よりも径方向外側に位置している。
【００２８】
また、図６のように、ブリッジ部２３は、軸線方向と直交する方向に切断した横断面視において、径方向外側に湾曲した湾曲形状となっている。即ち、横断面視において、ブリッジ部２３の外面２３ａ及び内面２３ｂは何れも外側凸に湾曲しており、従って、ブリッジ部２３は、その外面２３ａ及び内面２３ｂは何れも径方向外側に湾曲した、外側凸の横断面形状を有している。そして、ブリッジ部２３の軸線方向の両端部ではなく中途部における肉厚は、薄肉であって、少なくとも、第一筒部２１の反リール装着側の部分よりも薄肉であり、従って、ブリッジ部２３は、外側凸の薄肉湾曲の横断面形状を有している。また、ブリッジ部２３の内面２３ｂは、竿挿通孔１０よりも径方向外側に位置していることから、図６にも示されているように、竿本体２に装着された状態において、竿本体２に対してブリッジ部２３の内面２３ｂは径方向外側に離間している。
【００２９】
更に、ブリッジ部２３の左右両側縁部２４（周方向両端部）は、ブリッジ部２３の全長の大部分において竿挿通孔１０よりも反リール装着側に位置していて、竿本体２への装着状態では竿本体２よりも反リール装着側に位置している。ブリッジ部２３の両側縁部２４は、凹部１５の側方開口形状における谷底部Ｒにおいて最も反リール装着側にあり、そこから両側縁部２４は第一筒部２１側及び第二筒部２２側に向けて徐々にリール装着側に延びていく。ブリッジ部２３の第一筒部２１側の端部における両側縁部２４は、反リール装着側の半周分を越えてリール装着側に延びている。即ち、ブリッジ部２３の第一筒部２１側の端部における両側縁部２４は、竿挿通孔１０の中心線１０ａよりもリール装着側に延びており、しかも、その両側縁部２４は、第一筒部２１における竿挿通孔１０の凹部１５側の開口部に対して径方向外側に離間している。更に、ブリッジ部２３の両側縁部２４は第一筒部２１側の端部から固定フード部１２の開口縁部の左右両端部へと連続してつながっている。一方、ブリッジ部２３の第二筒部２２側の端部における両側縁部２４は、反リール装着側の半周分を越えて延びてはおらず、竿挿通孔１０の中心線１０ａよりも反リール装着側の位置で留まっている。
【００３０】
＜可動フード８＞
可動フード８は、全体として筒状であって、リールシート本体７の第二筒部２２に外装されていて、リールシート本体７に対して軸線方向にスライド移動可能であって回転不能となっている。可動フード８の内周面には内側に向かって図示しないガイド突起が突設されていて、該ガイド突起がリールシート本体７のガイド溝１４に係合することで、可動フード８はガイド溝１４に案内されながら軸線方向の前後にスライド移動できる。
【００３１】
可動フード８の一端部、それは固定ナット９とは反対側の端部であって反ナット側の端部と称することにする。尚、可動フード８の他端部は固定ナット９側であるためナット側の端部と称することにする。可動フード８の反ナット側の端部にはリール脚３の他方の脚先部５ｂが挿入されるフード部３０が形成されている。該フード部３０は、可動フード８の反ナット側の端部における全周のうちの一部が径方向外側に局部的に膨出したものであって、フード部３０とリールシート本体７との間にリール脚３の他方の脚先部５ｂが挿入される。可動フード８のフード部３０は、リールシート本体７の固定フード部１２と前後に対向しており、固定フード部１２と共にリール脚３の取付脚部５を前後に狭持してリール脚３を固定する。また、可動フード８のナット側の端部内周面には係合突条３１が周設されている。
【００３２】
可動フード８の反ナット側の端部の直径はナット側の端部の直径よりも大きく、可動フード８は、ナット側から反ナット側に向けて徐々に拡径している。また、可動フード８の一端面、即ち、フード部３０側の端面（反ナット側の端面）は、軸線方向に対して直交しておらず、軸線方向に対して傾斜しており、反リール装着側がリール装着側よりも反ナット側に延びている。尚、可動フード８の外周面はリールシート本体７の外周面と段差なく連続している。
【００３３】
可動フード８は、種々の材質から構成でき、ステンレスやアルミニウム合金等の金属製やＡＢＳ等の硬質な合成樹脂製、あるいは、カーボン繊維等を強化繊維とする繊維強化樹脂製とすることができ、リールシート本体７と同様に短繊維からなる繊維強化樹脂製とすることもできる。
【００３４】
＜固定ナット９＞
固定ナット９は、筒状であってその内周面に、リールシート本体７の雄ネジ部１３に螺合する雌ネジ部４０を有している。固定ナット９の構成も種々であってよく、一部材から構成されていてもよいが、本実施形態では複数の部材から構成されている。具体的には、固定ナット９は、三つの部材からなり、互いに一体となって回転する。
【００３５】
詳細には、固定ナット９は、内側から順に、内筒体４１と、中間筒体４２と、外筒体４３とから構成されている。内筒体４１の内周面に雌ネジ部４０が形成されており、この内筒体４１は合成樹脂製とされることが好ましい。内筒体４１が合成樹脂製であると、雌ネジ部４０の形成が容易であり、低コストで済み、また、リールシート本体７の雄ネジ部１３との摺動特性も良好なものとなって操作性が良い。
【００３６】
中間筒体４２は、内筒体４１の外側に装着固定されると共に、内筒体４１の反フード側（可動フード８とは反対側）の端面の露出を防止すべくその端面を軸線方向外側から覆うように構成されている。この中間筒体４２は、アルミニウム合金等の金属製とされることが好ましい。中間筒体４２が金属製であると、装飾性に優れていて高級感が出る。
【００３７】
尚、内筒体４１は中間筒体４２からフード側（可動フード８に近い側）に所定長さ露出していて、その露出部分の外周面には周溝４４が形成されている。該周溝４４に可動フード８の係合突条３１が係合していて、可動フード８と固定ナット９は互いに相対回転可能に係止されている。従って、固定ナット９が回転しても可動フード８は回転せずに前後にスライドする。また、内筒体４１の露出部分の外周面であって周溝４４の反フード側には環状突条４５が周設されており、該環状突条４５が中間筒体４２と可動フード８との間に位置している。従って、可動フード８のナット側の端面は内筒体４１の環状突条４５の側面と摺動する。
【００３８】
外筒体４３は、中間筒体４２の外側に装着固定されており、この外筒体４３は、ゴム製、特に合成ゴム製とされることが好ましい。外筒体４３がゴム製であると、滑りにくく操作性に優れる。このように固定ナット９が三つの部材からなる三層構造とされることで、操作性と装飾性の両立を図ることができる。
【００３９】
＜竿本体２への装着状態＞
筒状リールシート１は、竿本体２の所定位置に接着等により固定される。筒状リールシート１の前後の向きは何れであってもよく、固定ナット９が前側即ち竿先側を向く装着態様であってもよいし、固定ナット９が後側即ち竿尻側を向く装着態様であってもよい。本実施形態では、固定ナット９が前側に位置する態様について説明する。
【００４０】
リールシート本体７の竿挿通孔１０を竿本体２が挿通する。竿本体２は、種々の構成であってよいが、本実施形態では、竿尻部が局所的に拡径されてリアグリップ部５０が一体的に形成されたリアグリップ竿体５１を備えた構成である。即ち、竿本体２は、リアグリップ竿体５１とその前側に位置するメイン竿体５２とを備えた構成であり、リアグリップ竿体５１の前部とメイン竿体５２の後部とが接合一体化されて構成されている。尚、釣竿の種類も任意であって、並継ぎ竿や振出竿等であってよい。例えば、ワンピースロッドの場合にはメイン竿体５２は穂先まで連続した一本構造である。ツーピースロッドの場合には、釣竿は穂先側の一番竿と元側の二番竿とから構成され、元側の二番竿に筒状リールシート１を備えることになる。ツーピースロッドの場合、メイン竿体５２は穂先側の竿体と元側の竿体の二本構造となり、穂先側の竿体と元側の竿体は着脱自在に構成される。そして、元側の竿体の後部がリアグリップ竿体５１の前部に接合一体化されて互いに不離一体の構成とされて二番竿を構成する。即ち、二番竿は、元側の竿体とリアグリップ竿体５１からなる。何れにしても、本実施形態ではリアグリップ竿体５１を備えた構成であって、竿本体２はリアグリップ竿体５１とメイン竿体５２とを備えていて、リアグリップ竿体５１の前部がメイン竿体５２の後部と不離一体に接合一体化されて構成されている。そして、リアグリップ竿体５１に筒状リールシート１が装着されており、より具体的には、リアグリップ竿体５１の前部に筒状リールシート１が装着されている。
【００４１】
また、本実施形態では、リアグリップ竿体５１の前部の内側に筒状のスペーサ５３を介在させ、そのスペーサ５３の内側にメイン竿体５２の後部を挿入している。即ち、リアグリップ竿体５１とメイン竿体５２との間にはスペーサ５３が介装されていて、スペーサ５３を介してリアグリップ竿体５１の前部の内側にメイン竿体５２の後部が挿入されて接着固定されている。但し、スペーサ５３を介さずに直接リアグリップ竿体５１とメイン竿体５２とが接合一体化されていてもよい。また、竿本体２の構成は種々変更可能である。
【００４２】
リールシート本体７は竿本体２に直接接着されてもよいが、本実施形態では筒状のスペーサ６０を介して接着固定されている。即ち、竿本体２の外周面にスペーサ６０が接着固定され、該スペーサ６０の外周面にリールシート本体７が接着固定されている。このようにスペーサ６０を介してリールシート本体７を竿本体２に接着固定する構成とすることにより、肉厚の異なるスペーサ６０を種々準備しておけば、リールシート本体７を共用化でき、種々の直径の竿本体２に同一のリールシート本体７を装着できる。スペーサ６０の材質は任意であるが、本実施形態のように外部に露出しない構成の場合には合成樹脂が好ましく、軽量化できると共に製造も容易で低コストで済む。竿挿通孔１０は第一筒部２１と第二筒部２２にそれぞれ形成されているが、本実施形態では、第一筒部２１の竿挿通孔１０と第二筒部２２の竿挿通孔１０にそれぞれスペーサ６０が介装されている。
【００４３】
また、第一筒部２１の竿挿通孔１０の凹部１５側の開口部にはフランジ付きの口筒体６１が竿本体２との間に装着され、第二筒部２２の竿挿通孔１０の凹部１５側の開口部にも同様にフランジ付きの口筒体６１が装着されている。口筒体６１は竿本体２の外周面に接着固定される。該口筒体６１はフランジ部６１ａを除いてリールシート本体７の内側に位置していて、そのフランジ部６１ａは竿挿通孔１０の開口縁部に当接している。該口筒体６１は金属製とすることが好ましく、内部のスペーサ６０の端面の露出を防止できて意匠性を向上させることができる。また、口筒体６１にフランジ部６１ａを設けてそのフランジ部６１ａが竿挿通孔１０の開口縁部に当接する構成とすることで、意匠性が更に向上すると共に接着剤のはみ出しも防止できる。
【００４４】
一方、第一筒部２１の竿挿通孔１０の凹部１５とは反対側の開口部にはスペーサ６０よりも厚肉とされた口筒体６２が竿本体２との間に装着されている。該口筒体６２は竿本体２の外周面に接着固定される。該口筒体６２を設けることで、内部のスペーサ６０の後端面の露出を防止できる。該口筒体６２はその前部がリールシート本体７の内側に位置し、その後部はリールシート本体７から露出している。そして、口筒体６２よりも後側にはＥＶＡやコルク等からなる別途のグリップ体は設けられておらず、口筒体６２よりも後側の領域は竿本体２が露出している。即ち、リールシート本体７の後側には口筒体６２がその後部を露出する態様で設けられ、更に口筒体６２の後側には竿本体２が露出する構成とされている。リールシート本体７の後部外周面から口筒体６２の外周面、竿本体２の外周面へと、段階的且つスムーズに縮径していく構成となっているので、リールシート本体７の後側に別途のグリップ体を設けなくても違和感なく把持することができてグリップ性に優れている。尚、この口筒体６２も金属製とされることが好ましく、意匠性に優れる。
【００４５】
リールシート本体７の前側にも口筒体６３が装着されている。該口筒体６３は、リールシート本体７の前端面とスペーサ５３の前端面の露出を防止すべくそれらを前側から覆い隠しており、竿本体２の外周面に接着固定される。また、上述のように、リアグリップ竿体５１の内側にスペーサ５３を介してメイン竿体５２を挿入固定しているので、リアグリップ竿体５１の前端面とスペーサ５３の前端面を覆うように、口筒体６３は段差部６３ｂを介して小径部６３ａを前部に備えている。即ち、口筒体６３は後側に大径部６３ｃを備え前側には小径部６３ａを備えた構成であって、口筒体６３の大径部６３ｃはリアグリップ竿体５１の径方向外側であって且つ固定ナット９の径方向内側に位置し、即ち、口筒体６３の大径部６３ｃはリアグリップ竿体５１と固定ナット９との間に介在している。尚、口筒体６３はリアグリップ竿体５１には不離一体に固定されており、固定ナット９は口筒体６３に対しては回転可能である。口筒体６３の段差部６３ｂがリアグリップ竿体５１の前端面とスペーサ５３の前端面を前側から覆っている。口筒体６３の小径部６３ａの内周面はスペーサ５３の内周面と面一であって小径部６３ａの内径はスペーサ５３の内径と同一径となっており、スペーサ５３の内周面と共に口筒体６３の小径部６３ａの内周面はメイン竿体５２の外周面に接着される。尚、この前側の口筒体６３も金属製とされることが好ましく、意匠性に優れる。
【００４６】
このように筒状リールシート１が竿本体２に装着された状態においては、リールシート本体７の第一筒部２１と第二筒部２２との間において、竿本体２が全周に亘って露出している。図６のようにブリッジ部２３の内面２３ｂはその軸線方向の全長に亘って竿本体２の外周面から離間しており、従って、第一筒部２１と第二筒部２２との間において、両口筒体６１間の竿本体２の領域の全長がブリッジ部２３から離間しており、その竿本体２の全周が露出している。
【００４７】
かかる筒状リールシート１が装着された釣竿は種々の魚種の釣りに適用できるものであるが、一例としてソルトのライトゲームに適用したロッドについて説明すると、本実施形態のように固定ナット９が前側に位置する使用態様は、特に、ルアーを用いたアジ釣りに好適である。ルアーを用いたアジ釣りにおいてはキャスト後にロッドを上下に振ってさびきながらアジのアタリをとる。このようにロッドを上下に振る動作は手首を曲げる動作を伴うが、このような動作を行う釣りにおいては、固定ナット９が前側に位置する使用態様が好ましい。
【００４８】
ロッドを上下に振る動作を頻繁に行う釣りにおいては、筒状リールシート１を横から把持するのではなく、図１０及び図１１に示すように筒状リールシート１を上から把持することが好ましい。筒状リールシート１を上から即ち反リール装着側から把持するとロッドを上下に振りやすく、図１２のように手首を曲げてロッドを大きく上方に振り上げることも容易になる。このように筒状リールシート１を上から把持する場合においては、リールシート本体７の後部が後側に向けて徐々に縮径していて竿本体２の外周面にスムーズに繋がっていく形状となっていることが好適であって、筒状リールシート１を把持した際のフィット感に優れる上にロッドを上下に揺動させることもスムーズに行える。また、リールシート本体７の直ぐ後側に、ＥＶＡやコルクからなる別途のグリップ体を備えていないので、軽量化も可能となる。しかも、それらのグリップ体の形状ではなくリールシート本体７の後部形状によって後側に向けての縮径形状を構成しているので、把持した際のダイレクト感に優れていて、竿本体２やリール脚３からの振動伝達特性も優れている。
【００４９】
また、リールシート本体７の反リール装着側が径方向外側に膨出した形状となっているので、上から把持した際に膨出部分が手の平に当接し、フィット感に優れている。更に、リールシート本体７のリール装着側に凹部１５が形成されていて両サイドにも開口した形状となっているので、筒状リールシート１を上から把持した際に把持しやすく、また親指が自然と竿本体２やリール脚３に触れることになってアタリ等を把握しやすい。
【００５０】
そして、ブリッジ部２３の外面２３ａ及び内面２３ｂの何れもが外側に湾曲した形状となっていてブリッジ部２３が外側凸の薄肉の横断面形状となっているので、リールシート本体７が極めて軽量となるうえに、薄肉であっても湾曲の横断面形状であるので十分な十分な強度を確保することができる。そして、薄肉となったブリッジ部２３から手の平に振動が高感度で伝わる。しかも、第一筒部２１と第二筒部２２との間において露出している竿本体２にも直接指で触れることができるため、竿本体２からも振動が手に高感度に伝達されることになる。このようにリールシート本体７のリール装着側に凹部１５が形成されているうえにブリッジ部２３の横断面形状が外側凸の薄肉湾曲形状となっているので、強度を確保しつつ軽量化することができ、しかも、ブリッジ部２３の薄肉湾曲形状によって振動の減衰が抑制されて手に高感度に振動が伝達されることになる。
【００５１】
また、ブリッジ部２３の第一筒部２１側の端部における両側縁部２４が反リール装着側の半周分を越えてリール装着側に延びているので、ブリッジ部２３と第一筒部２１との境界部分における強度が十分に確保される。また、ブリッジ部２３の第一筒部２１側の端部における両側縁部２４が竿本体２から径方向外側に離間していて、第一筒部２１側の端部においてもブリッジ部２３は薄肉であり、強度と薄肉化の両立が達成される。しかも、ブリッジ部２３の第一筒部２１側の端部における両側縁部２４が固定フード部１２の開口縁部の左右両端部と連続しているので、特に強度が求められる固定フード部１２の開口縁部においても強度を容易に確保できる。
【００５２】
尚、本実施形態では固定ナット９が前側に位置する使用態様であったが、図１３のように固定ナット９が後側に位置する使用態様であってもよい。このように筒状リールシート１は固定ナット９が前側に位置する装着態様でも後側に位置する装着態様でもよく、何れの装着態様でも使用可能であって汎用性に優れている。固定ナット９が後側に位置する使用態様では、例えばリールを巻きながら行う釣り、即ち、リトリーブ中心の釣りに適しており、筒状リールシート１を上からではなく横から把持するとリールを巻きやすい。例えばルアーのメバル釣りに適している。尚、両軸リールを装着する筒状リールシート１であってもよい。
【符号の説明】
【００５３】
１    筒状リールシート
２    竿本体
３    リール脚
４    脚主部
４ａ  足首部
４ｂ  足首部の中心線
５    取付脚部
５ａ  一方の脚先部
５ｂ  他方の脚先部
７    リールシート本体
７ａ  一端部
７ｂ  他端部
８    可動フード
９    固定ナット
１０    竿挿通孔
１０ａ  中心線
１１    リール脚支持面
１２    固定フード部
１３    雄ネジ部
１４    ガイド溝
１５    凹部
２１    第一筒部
２２    第二筒部
２３    ブリッジ部
２３ａ  外面
２３ｂ  内面
２４    側縁部
３０    フード部
３１    係合突条
４０    雌ネジ部
４１    内筒体
４２    中間筒体
４３    外筒体
４４    周溝
４５    環状突条
５０    リアグリップ部
５１    リアグリップ竿体
５２    メイン竿体
５３    スペーサ
６０    スペーサ
６１    中間の口筒体
６１ａ  フランジ部
６２    後側の口筒体
６３    前側の口筒体
６３ａ  小径部
６３ｂ  段差部
６３ｃ  大径部
Ｐ  ピーク部
Ｑ  括れ部
Ｒ  谷底部
【図１】
2020103324.tif 000003
【図２】
2020103324.tif 000004
【図３】
2020103324.tif 000005
【図４】
2020103324.tif 000006
【図５】
2020103324.tif 000007
【図６】
2020103324.tif 000008
【図７】
2020103324.tif 000009
【図８】
2020103324.tif 000010
【図９】
2020103324.tif 000011
【図１０】
2020103324.tif 000012
【図１１】
2020103324.tif 000013
【図１２】
2020103324.tif 000014
【図１３】
2020103324.tif 000015